(57)【要約】      （修正有）【課題】表示画面保護用シートと表示画面との間に均一の厚みの空気層を密閉状態で保持し、外部との空気の出入りを遮断することによって埃や湿気の侵入を阻止するとともに、機器の使用時には表示画面の全面において均一な接触状態を維持しようとするものであり、これによって表示画面上において目に見える気泡の発生を防止するとともに、静電容量の変化検出を阻害する要因を排除した表示画面保護用シートを提供する。【解決手段】携帯情報機器の表示画面の形状に対応する開口部を設け、表面には接着層１５を、裏面には再剥離性粘着層１６とを有する基材１２と、基材表面の全面を覆う透明保護層１４とから成り、透明保護層１４は接着層１５により基材表面に接着され、再剥離性粘着層１６により携帯情報機器の表面に着脱可能に貼付装着した際に、開口部全面において、透明保護層１４と表示画面との間に空気層が密封保持されることを特徴とする。【選択図】図３
0003181526.tif 000002
【実用新案登録請求の範囲】
【請求項１】
携帯情報機器の表示画面の形状に対応する開口部を設け、表面には接着層を、裏面には再剥離性粘着層とを有する基材と、基材表面の全面を覆う透明保護層とから成る表示画面保護用シートであって、透明保護層は接着層により基材表面に接着され、再剥離性粘着層により携帯情報機器の表面に着脱可能に貼付装着することを特徴とする表示画面保護用シート。
【請求項２】
携帯情報機器の表面に貼付した際に、開口部全面において、透明保護層と表示画面との間に空気層が密封保持されることを特徴とする、請求項１に記載の表示画面保護用シート。
【請求項３】
前記空気層の厚みが、０ｍｍ超かつ０．２５ｍｍ以下であることを特徴とする、請求項１又は２に記載の表示画面保護用シート。
【請求項４】
前記基材の表面には、印刷層を有することを特徴とする、請求項１乃至３に記載の表示画面保護用シート。
【請求項５】
非装着時においては、再剥離性粘着層によりセパレータに貼付して保管可能としたことを特徴とする、請求項１乃至４に記載の表示画面保護用シート。
【請求項６】
前記透明保護層は透明ポリカーボネイト樹脂であり、前記セパレータはポリエチレンテレフタラート樹脂であることを特徴とする、請求項１乃至６に記載の表示画面保護用シート。
【考案の詳細な説明】
【技術分野】
【０００１】
本考案は、携帯情報機器、特に液晶表示画面を有するスマートフォンやタブレット型情報端末機器の表示画面を保護するように貼付して用いる表示画面保護用シートの改良に関する。
【背景技術】
【０００２】
近年、スマートフォンやタブレット型情報端末機器に代表される携帯情報機器の普及が進んでおり、これらの機器の液晶ディスプレイパネルから成る表示画面を保護するための表示画面保護用シートも多種多様なものが製造販売されている。
【０００３】
これらの機器における表示画面は静電容量方式のタッチパネルが主流となりつつあり、表示画面表面に触れる指先と導電膜との間での静電容量の変化を捉えて位置を検出するとう構造上、表示画面保護用シートは、少なくとも表示画面を覆う部分は透明で、静電容量の変化の検出を阻害しないことが要求される。
【０００４】
一方、表示画面保護用シートは、本来の画面保護機能の他に、ユーザが携帯情報機器の外観を個性的に装飾するための「着せ替え」用途のアクセサリとしても普及しており、表示画面以外の部分には、多彩な色柄や模様を表示してデザイン性が凝らされている。
【０００５】
ところで、従来の表示画面保護用シートは、シート裏面の再剥離性粘着層を携帯情報機器の表面に貼付した際に表示画面とシート裏面との間に気泡を生じ、使用時に静電容量の変化検出を阻害して機器の反応が悪くなるだけでなく、表示画面の外観も損ねるという問題があった。
【０００６】
この問題に対して、例えば特許文献１や特許文献２に記載の発明のような解決策が提案されている。
【特許文献１】特開２００４―１１７７９０号公報
【特許文献２】特開２０１２―０２２２９１号公報
【０００７】
特許文献１に記載の表示ディスプレイ用保護フィルムは、基材の片面上の両端縁に沿って任意の幅と厚みで粘着性物質層を塗工で形成しているため、貼付時に粘着性物質層を塗工しない縁端を通じて空気が排出され、表示ディスプレイと保護フィルムとの間に気泡を生じない。また、特許文献２に記載の表示画面保護用シートは、基材の裏面周縁位置に沿って、再剥離性糊よりなる不連続に形成された多数の貼り付け部を設けているため、貼り付け部が存在しない部分が空気流通路を形成し、やはり表示画面保護用シートと表示画面の間の空気が外部に排出されることにより、気泡を生じない。
【考案の開示】
【考案が解決しようとする課題】
【０００８】
しかし、これら先行技術では、表示画面保護用シートと表示画面との間には必ず粘着性物質層の厚み分の空間が生じ、しかもこの空間が常時外部空間に開放されているため、外部空間から空間内に埃や湿気が入り込むことが避けられない。そして、情報機器の使用時に表示画面保護用シート表面を指等で押圧する都度、その圧力により前記空間が部分的に伸縮してポンプ的な効果を生じるために外部から空気の出入りが起こり、より一層空間への埃や湿気の侵入が増加するという問題があった。
【０００９】
本考案は、かかる問題を解決するべく創作されたものであり、その基本的発想は、表示画面保護用シートと表示画面との間に均一の厚みの空気層を密閉状態で保持し、外部との空気の出入りを遮断することによって埃や湿気の侵入を阻止するとともに、機器の使用時には表示画面の全面において均一な接触状態を維持しようとするものであり、これによって表示画面上において目に見える気泡の発生を防止するとともに、静電容量の変化検出を阻害する要因を排除することを目的とする。
【００１０】
かかる目的を達成するため、請求項１に記載した表示画面保護用シートは、携帯情報機器の表示画面の形状に対応する開口部を設け、表面には接着層を、裏面には再剥離性粘着層とを有する基材と、基材表面の全面を覆う透明保護層とから成り、透明保護層は接着層により基材表面に接着され、再剥離性粘着層により携帯情報機器の表面に着脱可能に貼付装着することを特徴とする。
【００１１】
基材には表示画面の形状に対応した開口部が設けられ、開口部を含めた基材表面の全面を透明保護層が覆っているため、表示画面は傷や汚れから保護されるとともに、基材自体が不透明素材であっても、表示画面は透明保護層を通して視認及び指等でのタッチが可能である。
【００１２】
次に、請求項２に記載した考案は、請求項１に記載した表示画面保護用シートであって、
携帯情報機器の表面に貼付した際に、開口部全面において、透明保護層と表示画面との間に空気層が密封保持されることを特徴とする。
【００１３】
本考案に係る表示画面保護用シートでは、表示画面の形状に対応する開口部を覆う部分は粘着層を有さず、透明保護層は基材と接着層、再剥離性粘着層の合計厚み分の空気層を挟んで表示画面上に保持される。そのため、透明保護層の裏面は表示画面表面に直接接触しないため、そもそも目み見える気泡が不均一に生じることはありえない。また、表示画面に対応する基材の開口部は、機器表面への貼付時には周囲すべてが基材により封鎖されて外部空間との間での空気の出入りの生じない密閉された空気層を形成するから、埃や湿気が侵入することもなく、空気層の厚みが部位により不均等となることもない。そのため、貼付時に空気層内に埃や湿気を混入させることさえなければ、機器の使用中に静電容量の変化検出が阻害されるおそれもない。
【００１４】
次に、請求項３に記載した考案は、請求項１又は２のいずれか一項に記載した表示画面保護用シートであって、前記空気層の厚みが、０ｍｍ超かつ０．２５ｍｍ以下であることを特徴とする。
【００１５】
まず、透明保護層と表示画面との間隔は、基材の厚みに加え接着層と再剥離性粘着層の厚さにより任意に設定可能であるが、物理的にゼロとなることはなく、必ず一定の空気層が生じる。一方、表示画面を静電容量方式のタッチパネルとする場合、該空気層の厚みは出来るだけ薄いことが望ましい。出願人による試作品での実験結果によれば、本願出願時点の一般的なスマートフォンのタッチパネルへの適用において、空気層の厚みが０．２５ｍｍ以下であれば静電容量の変化検出に支障はない。
【００１６】
透明保護層の厚さについては情報機器及びその表示画面の大きさに応じて任意であるが、薄過ぎると耐久性が低下するだけでなく空気層の厚みにムラを生じやすく、一方、厚過ぎると静電容量の変化検出を阻害するため、たとえばスマートフォン用であれば概ね０．２０ｍｍ程度が好適である。
【００１７】
次に、請求項４に記載した考案は、請求項１乃至３のいずれか一項に記載した表示画面保護用シートであって、前記基材の表面には、印刷層を有することを特徴とする。
【００１８】
基材はその表面全面が透明保護層によって保護されるため、素材は樹脂シートの他、紙でも良い。基材の表面に直接任意の色柄や模様を印刷して印刷層を設けることにより透明保護層を透過して自由なデザインを施すことが可能となる。
【００１９】
次に、請求項５に記載した考案は、請求項１乃至４のいずれか一項に記載した表示画面保護用シートであって、非装着時においては、再剥離性粘着層によりセパレータに貼付して保管可能としたことを特徴とする。
【００２０】
表示画面保護用シートは、スマートフォン等の携帯情報機器のアクセサリとして別体販売されることが一般的であり、また、デザインの異なる表示画面保護用シートを、ユーザが随時交換して装着するといった使用が想定される。そのため、単体製品としての流通においては、再剥離性粘着層や透明保護層への埃等の付着の防止と、非使用時の表示画面保護用シートの保管の便に供するため、シート状のセパレータに再剥離性粘着層にて貼り付けた状態で保管することが望ましい。
【００２１】
次に、請求項６に記載した考案は、請求項１乃至５のいずれか一項に記載した表示画面保護用シートであって、前記透明保護層は透明ポリカーボネイト樹脂であり、前記セパレータはポリエチレンテレフタラート樹脂であることを特徴とする。
【００２２】
透明保護層は、情報機器の携帯中には表示画面が傷つかないように保護し、使用時には指等での押圧や摩擦に耐えて透明性を維持する必要があり、さらに、表示画面との間の空気層の厚みを均等化するために一定の形状維持力が要求されるため、対衝撃性、対摩耗性及び変形復元性の高い透明素材とすることが望ましく、透明ポリカーボネイト樹脂が特に好適である。また、セパレータは透明保護層ほどの耐久性は要求されないが、反復的な貼付及び剥離によっても再剥離粘着層の粘着力を維持できる素材とすることが望ましく、ポリエチレンテレフタラート樹脂が特に好適である。
【考案の効果】
【００２３】
本考案に係る表示画面保護用シートによれば、透明保護層により携帯情報機器等の表示画面を効果的に保護でき、透明保護層と表示画面との間に均一の密閉された空気層を保持するため、目に見える気泡を生じることがなく、しかも、外部空間から空気層への埃や湿気の侵入を防止することができるため、表示画面の外観やその表面へのタッチ感を損なわず、静電容量の変化検出も阻害しない好適な使用感の表示画面保護用シートを提供することができる。また、基材表面の印刷層により全体に自由な色柄や模様を施せば多彩なデザインの製品を提供することができ、非使用時にはセパレータに貼付して保管可能であるから、複数の表示画面保護用シートをユーザの好みに応じて自在に交換して使用することが可能となる。
【考案を実施するための最良の形態】
【００２４】
以下、本考案の実施形態について図を用いて詳細に説明する。図１は、本考案の一実施形態による表示画面保護用シート１０の携帯情報機器Ｘへの装着方法を示す斜視図である。携帯情報機器Ｘとしてはスマートフォンを例示しており、表示画面保護用シート１０は、表示画面Ｄに対応する透明な開口部１１を有し、表示画面Ｄと開口部１１を一致させるように携帯情報機器Ｘの表面に貼付して装着する。なお、表示画面保護用シート１０には、前記開口部１１の他にも、携帯情報機器Ｘの機種に応じて操作ボタン用、スピーカー用、内蔵カメラ用の各種機構に対応した貫通孔を設けても良い。
【００２５】
なお、携帯情報機器Ｘの裏面にも裏面保護用シート２０を貼付装着しても良い。本図の裏面保護用シート２０には、裏面内蔵カメラ等のための貫通孔を設けている。
【００２６】
図２は、本考案の一実施形態による表示画面保護用シート１０及び裏面保護用シート２０の単体製品状態を示す平面図である。シート１０、２０はいずれもセパレータ１７上に裏面の再剥離性粘着層によって着脱自在に貼付されている。セパレータ１７は剥離・再貼付の利便を考慮してシート１０、２０本体よりも大きな形状としているが、シート１０、２０と一致する形状としても良い。
【００２７】
図３は、本考案の一実施形態による表示画面保護用シート１０の、図２におけるＡ―Ａでの断面構造及び携帯情報機器Ｘへの装着状態の遷移を示す断面図である。イ図は、セパレータ１７に表示画面保護用シート１０が貼付された状態を示す断面図であり、円内は開口部１１を挟んだ両側の枠部の一方の断面の拡大図である。枠部は、表側に印刷層１３を有する基材１２の表面に接着層１４が設けられ、透明保護層１４が接着されている。基材１２の裏側には再剥離性粘着層１５が設けられ、セパレータ１７が貼付されている。ロ図は、セパレータ１７を剥がして再剥離性粘着層１５を露出させ、携帯情報機器Ｘの表面に貼付装着する工程を示し、ハ図は、装着が完了した状態を示し、円内は枠部の一方の断面の拡大図である。装着時には、透明保護層１４と表示画面Ｄとの間には空気層Ｇが密閉保持された状態となる。
【００２８】
図４乃至図７は、本考案の一実施形態による表示画面保護用シート１０の製造工程を連続的に示す斜視図である。図４は、基材１２に接着層１５と再剥離性粘着層１６を形成する第一工程を示す斜視図である。基材１２は、本図では一度に５枚の表示画面保護用シート１０を形成することを想定した素材としており、その表側には予め任意の図柄又は模様を印刷層１３にて印刷しておき、表側に接着層１５を形成する幅広両面接着シートを接着するとともに、裏側には再剥離性粘着層１６を形成する幅広両面接着シートを接着する。なお、裏側の幅広両面接着シートは、表側を再剥離性のない接着剤層、裏側を再剥離性粘着剤層とする二層構造とすることが適当である。
【００２９】
図５は、接着層１５と再剥離性粘着層１６が接着されて一体化させた基材１２に、トムソン刃による型抜きで５つの開口部１１を打ち抜く第二工程を示す斜視図である。
【００３０】
図６は、開口部１１を打ち抜いた基材１２の表側の接着層１５に透明保護層１４を、裏側の再剥離性粘着層１６にセパレータ１７をそれぞれ貼り付ける第三工程を示す斜視図である。この工程において、開口部１１は透明保護層１４によって覆われる。
【００３１】
図７は、透明保護層１４とセパレータ１７が貼付されて一体化させた基材１２から、改めてトムソン刃による型抜きで表示画面保護用シート１０を打ち抜く第四工程を示す斜視図である。この際、操作ボタン用、スピーカー用、内蔵カメラ用の各種機構に対応した貫通孔も同時に打ち抜き、打ち抜かれた不要部分を除去することにより、製品が完成する。
なお、トムソン刃は、透明保護層１４からセパレータ１７までを一気に打ち抜く刃と、透明保護層１４から再剥離性粘着層１６までのみを打ち抜いてセパレータ１７は残す刃との二種類を組み合わせて用いることにより、打ち抜かれた表示画面保護用シート１０の外周にセパレータ１７を辺縁部として突出する形で残置させ、完成品においてセパレータ１７から表示画面保護用シート１０を剥離する際の利便性を向上させることができる。
【００３２】
以上、本考案の実施形態について図面を参照しつつ説明したが、本考案は、必ずしも上述した構成にのみ限定されるものではなく、本考案の目的を達成し、効果を有する範囲内において、適宜変更実施することが可能なものであり、本考案の技術的思想の範囲内に属する限り、それらは本考案の技術的範囲に属する。たとえば、基材１２に印刷層１２を設けず、基材１２自体の素材が有する色柄や模様をデザインとしても良い。また、携帯情報機器Ｘの表示画面Ｄ以外の部分の表面素材が金属製の場合には、基材１２として磁性シートを用いることにより、再剥離性粘着層を設けることなく基材１２の磁性により携帯情報機器Ｘの表面に吸着させる構成としても良い。また、本考案では携帯情報機器への装着を前提としているが、携帯用に限らず卓上用のディスプレイ装置の表示画面保護用シートへの適用も可能である。
【産業上の利用可能性】
【００３３】
本考案に係る表示画面保護用シートは、スマートフォンやタブレット型コンピュータ等、タッチパネルあるいはタッチスクリーン方式の携帯情報機器の表示画面保護及び外観装飾の用途に用いられる付加アクセサリ製品の改良品としての利用可能性を有する。
【図面の簡単な説明】
【００３４】
【図１】表示画面保護用シートの携帯情報機器への装着方法を示す斜視図
【図２】表示画面保護用シートの単体製品状態を示す平面図
【図３】表示画面保護用シートの断面構造及び携帯情報機器への装着状態の遷移を示す断面図
【図４】基材に接着層及び再剥離性粘着層を設ける工程を示す斜視図
【図５】基材に表示画面の形状に対応する開口部を設けた状態を示す斜視図
【図６】基材に透明保護層及びセパレータを接着する工程を示す斜視図
【図７】表示画面保護用シートを加工済み基材から打ち抜く工程を示す斜視図
【符号の説明】
【００３５】
Ｘ           携帯情報機器
Ｄ           表示画面
Ｇ           空気層
１０       表示画面保護用シート
１１       開口部  
１２       基材
１３       印刷層
１４       透明保護層
１５       接着層
１６       再剥離性粘着層
１７       セパレータ
２０       裏面保護用シート
【図１】
0003181526.tif 000003
【図２】
0003181526.tif 000004
【図３】
0003181526.tif 000005
【図４】
0003181526.tif 000006
【図５】
0003181526.tif 000007
【図６】
0003181526.tif 000008
【図７】
0003181526.tif 000009
【手続補正書】
【提出日】平成24年11月22日(2012.11.22)
【手続補正１】
【補正対象書類名】実用新案登録請求の範囲
【補正対象項目名】請求項６
【補正方法】変更
【補正の内容】
【請求項６】
前記透明保護層は透明ポリカーボネイト樹脂であり、前記セパレータはポリエチレンテレフタラート樹脂であることを特徴とする、請求項１乃至５に記載の表示画面保護用シート。